(57)【要約】【課題】伝送速度を静止画データに合わせ高速化すると低速の無線機に比べ無線機の消費電流が増えかつコストアップとなる。【解決手段】送りたい情報データ３１を含むデータ部２２と前記データ部２２に先だって伝送されるヘッダー部２１を有する信号を送信する送信装置と、前記送信装置からの信号を受信する受信装置とで構成され、前記ヘッダー部２１はデータ部２１の変調方式及び伝送速度を指定する制御情報２６を有し、前記送信装置は前記ヘッダー部２１を所定の変調方式及び伝送速度Ａで送信した後、前記データ部２２を前記制御情報２６で指定した変調方式及び伝送速度Ｂで送信し、前記受信装置は前記所定の変調方式及び伝送速度Ａを受信できる状態で待ちうけ前記送信装置からの前記ヘッダー部２１を受信すると前記制御情報２６で指定された変調方式及び伝送速度Ｂに受信状態を切り替えるように構成されている。【選択図】　図２
2004096614.tif 000002
【特許請求の範囲】
【請求項１】
送りたい情報データを含むデータ部と前記データ部に先だって伝送されるヘッダー部を有する信号を送信する送信装置と、前記送信装置からの信号を受信する受信装置とで構成され、前記ヘッダー部はデータ部の変調方式及び伝送速度を指定する制御情報を有し、前記送信装置は前記ヘッダー部を所定の変調方式及び伝送速度Ａで送信した後、前記データ部を前記制御情報で指定した変調方式及び伝送速度Ｂで送信し、前記受信装置は前記所定の変調方式及び伝送速度Ａを受信できる状態で待ちうけ前記送信装置からの前記ヘッダー部を受信すると前記制御情報で指定された変調方式及び伝送速度Ｂに受信状態を切り替えるように構成された通信システム。
【請求項２】
ヘッダー部はビット同期信号とフレーム同期信号とデータ部の変調方式及び伝送速度を指定する制御情報とデータ部が送信されるまでの時間に関係する時間情報とで構成される基本単位を有し、データ部はビット同期信号とフレーム同期信号と通信相手を識別する識別データと情報データを有し、前記基本単位を所定回数繰り返した後、データ部を送信する構成とした送信装置を有する請求項１記載の通信システム。
【請求項３】
繰り返し送信されるヘッダー部に含まれるデータ部が送信されるまでの時間に関係する時間情報をもとに前記ヘッダー部で指定される変調方式及び伝送速度Ｂに受信状態を切り替える時間を決定する構成とした受信装置を有する請求項２記載の通信システム。
【請求項４】
請求項１〜３のいずれか１項記載の通信システムの機能の全てもしくは一部をコンピュータに実現させるためのプログラム。
【発明の詳細な説明】
【０００１】
【発明の属する技術分野】
本発明は、電波を用いてデータ通信を行う通信システムであって、特に家庭においてホームネットワークを構成する通信システムに関するものである。
【０００２】
【従来の技術】
近年、エアコンや冷蔵庫などの白物家電機器や侵入センサー等のセキュリティ機器と家庭内に設置されたホームコントローラとを無線で接続し、前記ホームコントローラを介して携帯電話と接続し、家の外よりエアコン等の機器をコントロールしたり、家の中のセキュリティ情報を携帯電話を介して外出中の家人に報知したりする家庭内ネットワークシステムが開発されてきている。
【０００３】
図３に従来の通信システムの構成を示し説明する。図３において、１はアンテナ、２は無線送受信手段、３は変復調手段、４は制御手段であり、５が送信装置である。６は送信装置５と同じ構成であるが受信装置を示す。変復調手段３は伝送速度２４００ｂｐｓの２値ＦＳＫ方式に対応したものである。エアコン等の機器（図示せず）は制御手段４に接続されている。制御手段４に接続される機器の状態が変化した場合、制御手段４から状態変化を知らせる信号が変復調手段３に入力し、２４００ｂｐｓの２値ＦＳＫ変調方式で無線送受信手段２を介してアンテナ１から電波として前記状態変化を知らせる信号が放射される。受信手段６では前記電波を受信し、受信装置６に接続されるホームコントローラ（図示せず）に伝える。
【０００４】
【発明が解決しようとする課題】
上記家庭内ネットワークシステムに流れるデータとしては、エアコン等の白物家電系の制御データからセキュリティ機器として監視カメラの静止画データなどがある。そして上記制御データの伝送速度としては数百ｂｐｓ程度で充分であるが、上記静止画データの伝送速度としては最低でも数千〜数万ｂｐｓの伝送速度が要求される。そしてネットワークシステム全体の伝送速度を上記静止画データに合わせ高速化すると低速の無線機に比べ無線機の消費電流が増えかつコストアップとなる。従って白物家電系機器の制御等のデータ伝送で低速で十分な機器にとっては無線機を高速化することはディメリットである。特に侵入センサー等の電池駆動のセキュリティ機器にとっては電池寿命の点から無線機の高速化は大きなディメリットとなる。従ってネットワーク上を低速のデータと高速のデータの両方を流せるように構成しなければならないという課題があった。そして上記ホームコントローラは低速のデータと高速のデータの両方を送受信できる構成にしなければならないという課題があった。
【０００５】
【課題を解決するための手段】
本発明は上記課題を解決するため、送りたい情報データを含むデータ部と前記データ部に先だって伝送されるヘッダー部を有する信号を送信する送信装置と、前記送信装置からの信号を受信する受信装置とで構成され、前記ヘッダー部はデータ部の変調方式及び伝送速度を指定する制御情報を有し、前記送信装置は前記ヘッダー部を所定の変調方式及び伝送速度Ａで送信した後、前記データ部を前記制御情報で指定した変調方式及び伝送速度Ｂで送信し、前記受信装置は前記所定の変調方式及び伝送速度Ａを受信できる状態で待ちうけ前記送信装置からの前記ヘッダー部を受信すると前記制御情報で指定された変調方式及び伝送速度Ｂに受信状態を切り替えるように構成されたものである。
【０００６】
上記発明によれば、伝送速度の異なるデータを一つのネットワーク上に流し、かつどの速度のデータでも受信できる通信システムを提供できる。
【０００７】
【発明の実施の形態】
本発明の請求項１にかかる通信システムは、送りたい情報データを含むデータ部と前記データ部に先だって伝送されるヘッダー部を有する信号を送信する送信装置と、前記送信装置からの信号を受信する受信装置とで構成され、前記ヘッダー部はデータ部の変調方式及び伝送速度を指定する制御情報を有し、前記送信装置は前記ヘッダー部を所定の変調方式及び伝送速度Ａで送信した後、前記データ部を前記制御情報で指定した変調方式及び伝送速度Ｂで送信し、前記受信装置は前記所定の変調方式及び伝送速度Ａを受信できる状態で待ちうけ前記送信装置からの前記ヘッダー部を受信すると前記制御情報で指定された変調方式及び伝送速度Ｂに受信状態を切り替えるように構成したものである。
【０００８】
そして、伝送速度の異なるデータを一つのネットワーク上に流し、かつどの速度のデータでも受信できる通信システムを提供できる。
【０００９】
本発明の請求項２にかかる通信システムは、ヘッダー部はビット同期信号とフレーム同期信号とデータ部の変調方式及び伝送速度を指定する制御情報とデータ部が送信されるまでの時間に関係する時間情報を有し、データ部はビット同期信号とフレーム同期信号と通信相手を識別する識別データと情報データを有し、前記ヘッダー部を所定時間あるいは所定回数繰り返した後、データ部を送信する構成としたものである。
【００１０】
そして、伝送速度の切り換えタイミングを通信相手に知らせることができる。本発明の請求項３にかかる通信システムは、繰り返し送信されるヘッダー部に含まれるデータ部が送信されるまでの時間に関係する時間情報をもとに前記ヘッダー部で指定される変調方式及び伝送速度Ｂに受信状態を切り替える時間を決定する構成としたものである。
【００１１】
そして、伝送速度の切り換えタイミングを知ることによりより正確にかつどの速度のデータでも受信できる。
【００１２】
本発明の請求項４にかかる通信装置は、請求項１〜３のいずれか１項記載の通信システムの機能の全てもしくは一部をコンピュータに実現させるためのプログラムである。
【００１３】
そして、プログラムであるのでマイコン等を用いて本発明の通信システムの一部あるいは全てを容易に実現することができる。また記録媒体に記録したり通信回線を用いてプログラムを配信したりすることでプログラムの配布やインストール作業が簡単にできる。
【００１４】
【実施例】
以下、本発明の実施例について図面を用いて説明する。
【００１５】
（実施例１）
図１は本発明の実施例１の通信システムを示すブロック図である。従来例と同じ機能ブロックには図３と同一の番号を付与している。
【００１６】
図１において、１はアンテナ、２は無線送受信手段、１４は変復調手段、１０は切り換え手段、１１は制御手段である。そして１２が送信装置である。１３は送信装置１２と同じ構成であるが受信装置を示す。図２は送信装置１２から送信される信号フォーマットを示す。図２を参照しながら本発明の動作について説明する。
【００１７】
送信装置１２から送信される信号は伝送速度Ａのヘッダー部２１と伝送速度Ｂのデータ部２２から構成されている。そして図２においては伝送速度Ａ＝２４００ｂｐｓ、伝送速度Ｂ＝９６００ｂｐｓで示している。変調方式はヘッダー部２１は２値ＦＳＫ，データ部２２はＧＭＳＫである。さらにヘッダー部２１はビット同期信号１（図２中２３）、フレーム同期信号１（同２４）、識別符号部１（同２５）、制御情報部（同２６）から成る一つの単位を基本単位（２７）とし、前記基本単位（２７）を複数回繰り返し送っている。ビット同期信号１（２３）は受信装置１３においてサンプリングクロックを生成するのに利用される。フレーム同期信号１（２４）はビット同期信号１（２３）の終わりと次に続く識別符号部１（２５）の先頭を知らせるためのものである。そして識別符号部１（２５）で送りたい相手を指定する。制御情報部（２６）にはデータ部（２２）の伝送速度及び変調方式を指定するための情報がのっている。さらに前記制御情報部（２６）にはあと何回前記基本単位（２７）が繰り返されるかを示す情報が挿入されている。前記あと何回前記基本単位（２７）が繰り返されるかを示す情報は、直接的に基本単位が繰り返される残り回数であっても良いし、基本単位が繰り返される回数のうち送り終わった回数を示すものであっても良い。また基本単位が繰り返される残り回数に対応した時間（残り時間）そのものを示す情報であっても良い。
【００１８】
データ部２２はビット同期信号２（図２中２８）、フレーム同期信号２（同２９）、識別符号部２（同３０）、データ（同３１）から構成されている。ビット同期信号２（２８）は受信装置１３においてサンプリングクロックを生成するのに利用される。フレーム同期信号２（２９）はビット同期信号２（２８）の終わりと次に続く識別符号部２（３０）の先頭を知らせるためのものである。そして識別符号部２（３０）で送りたい相手を指定する。データ３１は例えば静止画データである。
【００１９】
送信装置１２においては、ヘッダー部（２１）を送信した後、制御手段１１の指示で切り換え手段１０を起動して変復調手段１４の変調方式及び伝送速度を２４００ｂｐｓ２値ＦＳＫから９６００ｂｐｓＧＭＳＫに切り換える。
【００２０】
受信装置１３においては、最初２４００ｂｐｓ２値ＦＳＫで待ち受け、ヘッダー部（２１）の識別符号部１（２５）により自機当てであることを確認した後、制御情報部を解読しデータ部（２２）の伝送速度及び変調方式を知る。そして復調方式を９６００ｂｐｓＧＭＳＫに切り換えデータ部（２２）を待ち受ける。この時前記制御情報部（２６）に含まれるヘッダー部（２１）を構成する基本単位（２７）が後何回繰り返されるかの情報を取得すればより確実に変調方式を切り換えデータ部を待ち受けることができる。
【００２１】
本実施例の説明ではデータ部を９６００ｂｐｓＧＭＳＫとしたが、データ部が４８００ｂｐｓ２値ＦＳＫの場合であっても良いし、２０ｋｂｐｓ８値ＦＳＫであってもかまわない。
【００２２】
【発明の効果】
以上説明したように本発明の通信装置は、伝送速度の異なるデータを一つのネットワーク上に流し、かつどの速度のデータでも受信できる通信システムを提供できる。
【図面の簡単な説明】
【図１】本発明の実施例における通信システムのブロック図
【図２】本発明の実施例における通信システムの信号フォーマット図
【図３】従来の通信システムのブロック図
【符号の説明】
１　アンテナ
２　無線送受信手段
３　変復調手段
４　制御手段
５　送信装置
６　受信装置
１０　切り換え手段
１１　制御手段
１２　送信装置
１３　受信装置
【図１】
2004096614.tif 000003
【図２】
2004096614.tif 000004
【図３】
2004096614.tif 000005